(57)【要約】【課題】熱収縮性フイルム４の内側あるいは外側に加飾物３を設けることにより、簡単に筒状に作製できる加飾筒を提供する。【解決手段】印刷物あるいは写真の上にステンシル１を置いて枠を作成し、この枠に沿ってカットすることにより加飾物３を作製する。この加飾物３を治具２の筒部２Ａに巻き付け、更にその上に熱収縮性フイルム４を被せた後、この熱収縮性フイルム４を加熱して収縮し筒状に構成することにより加飾筒を作製する。この加飾筒を交換可能に軸筒内に内蔵し加飾軸を構成する。【選択図】        図１
2006175758.tif 000002
【特許請求の範囲】
【請求項１】
筒状に形成した熱収縮性フイルムの内側あるいは外側に加飾物を設けたことを特徴とする加飾筒。
【請求項２】
筒状に形成した熱収縮性フイルムの内側あるいは外側に加飾物を設けて加飾筒を構成し、この加飾筒を透明あるいは着色透明に構成した軸筒内に取り換え可能に内蔵したことを特徴とする加飾軸。
【請求項３】
筒状に形成した熱収縮性フイルムの内側あるいは外側に加飾物を設けて加飾筒を構成し、この加飾筒を一部が開口して内部が目視可能な軸筒内に取り換え可能に内蔵したことを特徴とする加飾軸。
【請求項４】
軸筒内に内軸を設け、この内軸に加飾筒を被せることにより加飾軸を構成したことを特徴とする請求項２又は３記載の加飾軸。
【請求項５】
加飾軸を筆記具に用いたことを特徴とする請求項２乃至４のいずれか１項に記載の加飾軸。
【請求項６】
加飾物を印刷物あるいは写真により構成したことを特徴とする請求項１乃至５のいずれか１項に記載の加飾筒又は加飾軸。
【請求項７】
治具の筒部に熱収縮性フイルムを被せ、この熱収縮性フイルムを加熱して収縮させ筒状に構成し、この熱収縮性フイルムの外側に加飾物を貼着する加飾筒の製造方法。
【請求項８】
写真あるいは印刷物のカットしたい部分の上に、四角形状の透明板からなるステンシルを乗せ、シャープペンシル等で枠を書いてはさみでカットするか、ステンシルの周囲をカッターでカットして加飾物を作製し、この加飾物を巻き込み部分を内側にして治具の筒部に巻き付け、更にその上に熱収縮性フイルムを被せた後、この熱収縮性フイルムを加熱して収縮し筒状に構成する加飾筒の製造方法。
【請求項９】
熱収縮性フイルムを被せるための筒部と、外鍔部と、前記筒部より若干太径の押部とにより構成したことを特徴とする加飾筒作製用の治具。
【請求項１０】
治具の筒部の円周寸法に巻き込み寸法を合わせた横幅と、治具の筒部の長さより短い寸法の縦幅で構成した四角形状の透明板からなる加飾物をカットするためのステンシル。
【発明の詳細な説明】
【技術分野】
【０００１】
本発明は、熱収縮性フイルムの内側あるいは外側に加飾物を設けた加飾筒、加飾筒を軸筒内に取り換え可能に内蔵した加飾軸、加飾筒の製造方法、加飾筒作製用の治具及び加飾物をカットするためのステンシルに関する。
【背景技術】
【０００２】
従来、箸、フェルトペンなどの棒状体にシュリングフイルム筒が加熱収縮されて密着された棒状体において、ホログラム箔がシュリングフイルム筒内面に貼り付けられ、このホログラム箔がシュリングフイルム筒の透明部より透視可能に構成された棒状体が知られている。（特許文献１参照）
【特許文献１】特開平１０−１０８７７６号公報（図１参照）
【発明の開示】
【発明が解決しようとする課題】
【０００３】
箸やフェルトペンなどの棒状体にシュリングフイルム筒が加熱収縮されて密着した場合には、使用者の好みに合わせてシュリングフイルム筒を交換することは不可能であった。
【課題を解決するための手段】
【０００４】
本発明は、筒状に形成した熱収縮性フイルムの内側あるいは外側に加飾物を設けて加飾筒を構成したことを第１の要旨とする。
【０００５】
また、筒状に形成した熱収縮性フイルムの内側あるいは外側に加飾物を設けて加飾筒を構成し、この加飾筒を透明あるいは着色透明に構成した軸筒内に取り換え可能に内蔵して加飾軸を構成したことを第２の要旨とする。
【０００６】
更に、筒状に形成した熱収縮性フイルムの内側あるいは外側に加飾物を設けて加飾筒を構成し、この加飾筒を一部が開口して内部が目視可能な軸筒内に取り換え可能に内蔵して加飾軸を構成したことを第３の要旨とする。
【０００７】
更にまた、軸筒内に内軸を設け、この内軸に加飾筒を被せることにより加飾軸を構成したことを第４の要旨とする。
【０００８】
更にまた、加飾軸を筆記具に用いたことを第５の要旨とする。
【０００９】
更にまた、加飾物を印刷物あるいは写真により構成したことを第６の要旨とする。
【００１０】
更にまた、治具の筒部に熱収縮性フイルムを被せ、この熱収縮性フイルムを加熱して収縮させ筒状に構成し、この熱収縮性フイルムの外側に加飾物を貼着する加飾筒の製造方法を第７の要旨とする。
【００１１】
更にまた、写真あるいは印刷物のカットしたい部分の上に、四角形状の透明板からなるステンシルを乗せ、シャープペンシル等で枠を書いてはさみでカットするか、ステンシルの周囲をカッターでカットして加飾物を作製し、この加飾物を巻き込み部分を内側にして治具の筒部に巻き付け、更にその上に熱収縮性フイルムを被せた後、この熱収縮性フイルムを加熱して収縮し筒状に構成する加飾筒の製造方法を第８の要旨とする。
【００１２】
更にまた、熱収縮性フイルムを被せるための筒部と、外鍔部と、前記筒部より構成した加飾筒作製用の治具を第９の要旨とする。
【００１３】
更にまた、治具の筒部の円周寸法に巻き込み寸法を合わせた横幅と、治具の筒部の長さより短い寸法の縦幅で構成した四角形状の透明板からなる加飾物をカットするためのステンシルを第１０の要旨とする。
【発明の効果】
【００１４】
本発明の加飾筒は、治具の筒部に熱収縮性フイルムを被せて加熱するのみで筒状となり、この筒状の熱収縮性フイルムの内側あるいは外側に加飾物を設けるという極めて簡単な加工で加飾筒が構成できるという利点がある。
【００１５】
また、本発明の加飾軸は、前記加飾筒を任意に取り換えて内蔵でき、しかも透明の軸筒あるいは軸筒の開口から加飾物が目視できるので使用者の好みに合わせてイメージを変えられる利点がある。
【発明を実施するための最良の形態】
【００１６】
熱収縮性フイルムを治具の筒部に被せて加熱するのみで筒状に構成し、この熱収縮性フイルムの内側あるいは外側に加飾物を設けることにより、加飾軸に交換可能に内蔵できる加飾筒を実現した。
【実施例１】
【００１７】
図１、図２および図３により本発明の実施例１を説明する。先ず、図１に示したように、透明の合成樹脂板でステンシル１を構成する。このステンシル１は四角形で右側に巻き込み部１Ａを形成する。この巻き込み部１Ａは印刷やシールで作製する。
【００１８】
更に、図２に示したように、合成樹脂製で治具２を構成し、この治具２は、細長の筒部２Ａと、若干太径の押部２Ｂと、筒部２Ａと押部２Ｂを分離する外鍔部２Ｃで構成する。
【００１９】
しかも、前記ステンシル１の横幅１Ｂは、治具２の円周寸法と巻き込み部の幅を合わせた寸法で形成する。また、ステンシル１の縦幅１Ｃは治具２の筒部２Ａの長手方向寸法よりやや短く形成する。
【００２０】
次に、加飾物を作製する方法を説明する。先ず、上記ステンシル１をカットしたい写真や印刷の上に置き、ペンシル等で枠を書き込む。更に、この枠に沿ってはさみでカットし、加飾物３を作製する。この加飾物３を治具２の筒部２Ａに巻き付ける。この時、加飾物３の巻き込み部を内側にして巻き付ける。更に、治具２の筒部２Ａよりやや太径で筒部２Ａの長手寸法より若干短く形成された熱収縮性フイルム４を加飾物３を巻き付けた治具２の筒部２Ａに被せる。この熱収縮性フイルム４をドライヤー等で加熱し収縮すると図３に示した状態となる。この熱収縮性フイルム４および加飾物３を治具２の筒部２Ａより外せば筒状の加飾筒が完成する。
【００２１】
この加飾筒を透明性を有した軸筒内に挿入し、治具２の押部２Ｂで軸筒内に押し込めば加飾軸が完成する。また、加飾軸は、装飾用の飾りに用いる加飾軸等の種々の加飾軸に利用可能であるが、例えば筆記具の加飾軸が考えられる。この場合には、図４に示したように、透明性を有した軸筒５に先ず内軸６を取り付け、この軸筒５と内軸６の間に前記加飾物３および熱収縮性フイルム４からなる加飾筒を挿入し、加飾筒を治具２の押部２Ｂで押し込むことにより完成できる。この軸筒５を用いた筆記具としては、シャープペンシルやボールペンといった筆記具が考えられる。
【実施例２】
【００２２】
図５により本発明の実施例２を説明する。先ず、軸筒１５の側面を開口して開口窓１５Ａを形成し、この開口窓１５Ａから内部を目視可能に構成する。この軸筒１５内に内軸６を取り付けた後、軸筒１５と内軸６の間に加飾物３および熱収縮性フイルム４からなる加飾筒を挿入し、治具２の押部２Ｂで軸筒１５内に押し込めば加飾軸が完成する。
【実施例３】
【００２３】
図６により本発明の実施例３を説明する。先ず、治具２の筒部２Ａに熱収縮性フイルム４を被せ、ドライヤー等で加熱して収納する。この収縮して筒状となった熱収縮性フイルム４にシールからなる加飾物１３を貼着した後、熱収縮性フイルム４を治具２の筒部２Ａより外せば筒状の加飾筒が完成する。
【実施例４】
【００２４】
図７により本発明の実施例４を説明する。先ず、治具２の筒部２Ａに熱収縮性フイルム４を被せ、ドライヤー等で加熱して収縮する。この筒状となった熱収縮性フイルム４にシールからなる加飾物１３を貼着し、更にその上に熱収縮性フイルム７を被せて加熱収縮させる。この加飾物１３および熱収縮性フイルム４、７を治具２の筒部２Ａより外せば筒状の加飾筒が完成する。
【産業上の利用可能性】
【００２５】
筒状に形成した熱収縮性フイルムの内側あるいは外側に加飾物を設けて構成した加飾筒を軸筒内に簡単に取り付けたり交換できる加飾軸に適用できる。
【図面の簡単な説明】
【００２６】
【図１】本発明の実施例１のステンシルを示す平面図である。（実施例１）
【図２】本発明の実施例１の治具を示す正面図である。（実施例１）
【図３】本発明の実施例１の治具に加飾物を巻き、その上に熱収縮性フイルムを被せて加熱収縮した状態を示す部分断面図である。（実施例１）
【図４】本発明の実施例１の加飾物を筆記具の軸筒と内軸の間に設けた状態を示す部分断面図である。（実施例１）
【図５】本発明の実施例２の加飾軸を示す正面図である。（実施例２）
【図６】本発明の実施例３の加飾物を示す正面図である。（実施例３）
【図７】本発明の実施例４の加飾物を示す部分断面図である。（実施例４）
【符号の説明】
【００２７】
１  ステンシル
１Ａ  ステンシル１の巻き込み部
１Ｂ  ステンシル１の横幅
１Ｃ  ステンシル１の縦幅
２  治具
２Ａ  治具２の筒部
２Ｂ  治具２の押部
２Ｃ  治具２の外鍔部
３  加飾物
４  熱収縮性フイルム
５  軸筒
６  内軸
７  熱収縮性フイルム
１３  加飾物
１５  軸筒
１５Ａ  軸筒１５の開口窓
【図１】
2006175758.tif 000003
【図２】
2006175758.tif 000004
【図３】
2006175758.tif 000005
【図４】
2006175758.tif 000006
【図５】
2006175758.tif 000007
【図６】
2006175758.tif 000008
【図７】
2006175758.tif 000009